(57)【要約】【課題】フランジバック寸法の短かい距離計連動カメラ用の交換レンズを装着した際に、リアコンバージョンレンズを使用せずに無限遠からの撮影を可能とし、ＡＦ撮影をも可能とするレンズ交換可能なデジタル一眼レフカメラを得る。【解決手段】撮影レンズを通過した光束を光電変換する撮像素子と、撮像素子を撮影レンズの光軸方向に移動させる撮像素子移動機構と、撮影レンズと撮像素子の間に配置され撮影レンズを通過した光束をファインダ部へ導く第１の位置と撮影光束外へ退避した第２の位置に移動可能な反射部材と、を有し、反射部材を第２の位置へ退避させた状態で、撮像素子移動機構により撮像素子を撮影レンズの光軸方向へ移動させることを特徴とするカメラ、とする。【選択図】        図４
2005017699.tif 000002
【特許請求の範囲】
【請求項１】
撮影レンズを通過した光束を光電変換する撮像素子と、前記撮像素子を前記撮影レンズの光軸方向に移動させる撮像素子移動機構と、前記撮影レンズと前記撮像素子の間に配置され前記撮影レンズを通過した光束をファインダ部へ導く第１の位置と撮影光束外へ退避した第２の位置に移動可能な反射部材と、を有し、
前記反射部材を第２の位置へ退避させた状態で、前記撮像素子移動機構により前記撮像素子を前記撮影レンズの光軸方向へ移動させることを特徴とするカメラ。
【請求項２】
前記カメラは、マウント部を有し、前記撮影レンズを交換可能としたことを特徴とする請求項１記載のカメラ。
【請求項３】
撮影レンズを交換可能とするマウント部と、前記撮影レンズを通過した光束を光電変換する撮像素子と、前記撮像素子を前記撮影レンズの光軸方向に移動させる撮像素子移動機構と、前記マウント部と前記撮像素子の間に配置され前記撮影レンズを通過した光束をファインダ部へ導く第１の位置と撮影光束外へ退避した第２の位置に移動可能な反射部材と、を有し、
前記マウント部に前記撮影レンズが装着されることに応じ、前記反射部材を前記第１の位置から前記第２の位置へ退避させることを特徴とするカメラ。
【請求項４】
前記カメラは、前記マウント部に装着された撮影レンズを判別する判別手段を有し、前記判別手段が特定の撮影レンズであると判別した時、前記反射部材を前記第１の位置から前記第２の位置へ退避させることを特徴とする請求項２又は３に記載のカメラ。
【請求項５】
撮影レンズを交換可能とするマウント部と、前記撮影レンズを通過した光束を光電変換する撮像素子と、前記撮像素子を前記撮影レンズの光軸方向に移動させる撮像素子移動機構と、前記マウント部と前記撮像素子の間に配置され前記撮影レンズを通過した光束をファインダ部へ導く第１の位置と撮影光束外へ退避した第２の位置に移動可能な反射部材と、前記反射部材の位置を外部入力により設定する入力手段と、を有し、
前記入力手段への入力に応じて前記反射部材を前記第１の位置から前記第２の位置へ退避させることを特徴とするカメラ。
【請求項６】
前記反射部材を前記第１の位置から前記第２の位置へ退避させた後、前記撮像素子移動機構により前記撮像素子を移動させることを特徴とする請求項３〜５のいずれか１項に記載のカメラ。
【請求項７】
撮影レンズを通過した光束を光電変換する撮像素子と、前記撮像素子を前記撮影レンズの光軸方向に移動させる撮像素子移動機構と、前記撮影レンズと前記撮像素子の間に配置され前記撮影レンズを通過した光束をファインダ部へ導く第１の位置と撮影光束外へ退避した第２の位置に移動可能な反射部材と、前記撮像素子とは異なる焦点検出器と、を有し、
前記反射部材が前記第１の位置にある時は、前記焦点検出器により焦点調節をおこない、前記反射部材が前記第２の位置にある時は、前記撮像素子の出力による焦点調節をおこなうことを特徴とするカメラ。
【請求項８】
前記カメラは、前記撮像素子の前にシャッタユニットを有し、前記撮像素子と共に移動することを特徴とする請求項１〜７のいずれか１項に記載のカメラ。
【請求項９】
前記シャッタユニットは、少なくとも前記反射部材を前記第２の位置へ退避させた時は、開いた状態とすることを特徴とする請求項１〜８のいずれか１項に記載のカメラ。
【請求項１０】
前記ファインダ部は、少なくとも焦点板と複数回の反射をおこなう反射面群と接眼レンズ群で構成され、前記反射部材を前記第２の位置へ退避させた時、前記焦点板を前記反射面群の方向へ移動させることを特徴とする請求項１〜９のいずれか１項に記載のカメラ。
【発明の詳細な説明】
【０００１】
【発明の属する技術分野】
本発明はデジタルカメラ、特にレンズ交換可能なカメラに関するものである。
【０００２】
【従来の技術】
従来より、レンズ交換可能な一眼レフタイプのデジタルカメラが市販されている。これら一眼レフカメラは、それぞれ各社独自のレンズマウント形状と、フランジバック（Ｆｌａｎｇｅ  ｂａｃｋ：ボディとレンズのマウント接触面を基準として無限遠時の焦点位置までの距離）量が規定されており、専用レンズ以外はそのままでは使用できないのが普通である。
【０００３】
これらの制約を解消するため、異なるマウント形状の交換レンズを別のマウント形状のカメラ本体に装着可能とするためのマウントアダプターが種々市販されている。
【０００４】
このマウントアダプターには、大別して以下の３種がある。
（１）カメラ本体のフランジバック量より長いフランジバック量の交換レンズを装着する場合に対応し、その差に相当する厚みの部材を間に挟み込むことで無限遠〜至近距離撮影可能なもの。
【０００５】
（２）カメラ本体のフランジバック量より短いフランジバック量の交換レンズを装着する場合に対応し、交換レンズにリアコンバージョンレンズを内蔵しており、焦点距離を若干長くすると共に光学的に無限ピント位置を合わせ、無限遠〜至近距離撮影可能なもの。
【０００６】
（３）機械的に装着可能にしただけで、無限遠にはピントが合わないもの、即ち近接撮影のみ可能なもの。
【０００７】
一方、焦点調節の際、撮影レンズ群を移動させずに、フィルム面を光軸方向に移動させて焦点合わせをおこなうものも公知である。
【０００８】
この例として、レンズマウントを含む前部ブロックと、焦点検出機構、ファインダ機構、フィルム給送保持機構を備えた後部ブロックで構成し、この後部ブロックを光軸方向に移動し前部ブロックとの相対距離を変化させ焦点調節するカメラがある（例えば、特許文献１参照）。
【０００９】
【特許文献１】
特開平５−１７３２２５号公報
【００１０】
【発明が解決しようとする課題】
今日までに市販されたカメラ用交換レンズの本数は、膨大な数量にのぼっている。しかし、これまでカメラ技術の進歩に伴い、マウント形状及びフランジバック寸法の変更が幾度かおこなわれ、過去のマウント形状のレンズは、これらレンズの使用可能なカメラ本体の枯渇とともに死蔵された状態となっている。
【００１１】
近年、これら過去のものを含めた各種マウントの交換レンズを、最新のカメラボディに装着して撮影をおこない、過去のレンズの描写を再度楽しみたいとの要望が高まっている。この要望に対する回答として、前述の各種レンズアダプターが市販されている。
【００１２】
しかし、このレンズアダプターでは、一眼レフのボディに対し、過去あるいは他社の異なるマウントの一眼レフ用交換レンズの装着については（１）又は（２）のものを使用することで、ある程度の要望を満たすものであるが、ライカスクリューマウント及び、同Ｍマウントに代表される距離計連動カメラ用の交換レンズについては、上記（３）のものしか無く、上述の要望を満たしているとは言い難い。
【００１３】
また、これら距離計連動カメラ用の交換レンズは、マニュアルフォーカスのレンズであり、レンズを本体側から駆動又は制御するオートフォーカス方式（以下、ＡＦと称す）は使用できないものである。
【００１４】
一方、上記の特許文献１に記載されたバックフォーカス式のＡＦ一眼レフカメラは、過去のマニュアルフォーカスのレンズであってもＡＦ撮影を可能とするものであるが、専用レンズ以外では上記（１）又は（２）のマウントアダプターで装着可能なレンズに限られ、ライカスクリューマウント及び、同ＭマウントのレンズについてはＡＦで近接撮影が可能であるに過ぎず、無限遠等の遠距離の撮影は同様に不可能である。
【００１５】
これは、一眼レフ用の交換レンズに比べ距離計連動カメラ用の交換レンズ、例えばライカスクリューマウント及び、同Ｍマウントのフランジバック寸法が非常に短かいことによるものである。
【００１６】
本発明は、上記問題に鑑み、フランジバック寸法の長い一眼レフ用交換レンズが使用可能であるのは勿論のこと、フランジバック寸法の短かい距離計連動カメラ用の交換レンズを装着した際に、リアコンバージョンレンズを使用せずに無限遠からの撮影を可能とし、更にはＡＦ撮影をも可能とするレンズ交換可能なデジタル一眼レフカメラを得ることを目的とするものである。
【００１７】
【課題を解決するための手段】
上記の課題は、以下のようにすることで解決される。
【００１８】
１）  撮影レンズを通過した光束を光電変換する撮像素子と、前記撮像素子を前記撮影レンズの光軸方向に移動させる撮像素子移動機構と、前記撮影レンズと前記撮像素子の間に配置され前記撮影レンズを通過した光束をファインダ部へ導く第１の位置と撮影光束外へ退避した第２の位置に移動可能な反射部材と、を有し、前記反射部材を第２の位置へ退避させた状態で、前記撮像素子移動機構により前記撮像素子を前記撮影レンズの光軸方向へ移動させることを特徴とするカメラ、とすることで解決される。
【００１９】
２）  前記カメラは、マウント部を有し、前記撮影レンズを交換可能とした１）のカメラ、とすることが好ましい。
【００２０】
３）  撮影レンズを交換可能とするマウント部と、前記撮影レンズを通過した光束を光電変換する撮像素子と、前記撮像素子を前記撮影レンズの光軸方向に移動させる撮像素子移動機構と、前記マウント部と前記撮像素子の間に配置され前記撮影レンズを通過した光束をファインダ部へ導く第１の位置と撮影光束外へ退避した第２の位置に移動可能な反射部材と、を有し、前記マウント部に前記撮影レンズが装着されることに応じ、前記反射部材を前記第１の位置から前記第２の位置へ退避させることを特徴とするカメラ、とすることでも解決される。
【００２１】
４）  前記カメラは、マウント部に装着された撮影レンズを判別する判別手段を有し、前記判別手段が特定の撮影レンズであると判別した時、前記反射部材を前記第１の位置から前記第２の位置へ退避させる２）又は３）のカメラとすることが好ましい。
【００２２】
５）  撮影レンズを交換可能とするマウント部と、前記撮影レンズを通過した光束を光電変換する撮像素子と、前記撮像素子を前記撮影レンズの光軸方向に移動させる撮像素子移動機構と、前記マウント部と前記撮像素子の間に配置され前記撮影レンズを通過した光束をファインダ部へ導く第１の位置と撮影光束外へ退避した第２の位置に移動可能な反射部材と、前記反射部材の位置を外部入力により設定する入力手段と、を有し、前記入力手段への入力に応じて前記反射部材を前記第１の位置から前記第２の位置へ退避させることを特徴とするカメラ、とすることでも解決される。
【００２３】
６）  前記反射部材を前記第１の位置から前記第２の位置へ退避させた後、前記撮像素子移動機構により前記撮像素子を移動させる３）〜５）のいずれかのカメラ、とすることが好ましい。
【００２４】
７）  撮影レンズを通過した光束を光電変換する撮像素子と、前記撮像素子を前記撮影レンズの光軸方向に移動させる撮像素子移動機構と、前記撮影レンズと前記撮像素子の間に配置され前記撮影レンズを通過した光束をファインダ部へ導く第１の位置と撮影光束外へ退避した第２の位置に移動可能な反射部材と、前記撮像素子とは異なる焦点検出器と、を有し、前記反射部材が前記第１の位置にある時は、前記焦点検出器により焦点調節をおこない、前記反射部材が前記第２の位置にある時は、前記撮像素子の出力による焦点調節をおこなうことを特徴とするカメラ、とすることでも解決される。
【００２５】
８）  前記カメラは、前記撮像素子の前にシャッタユニットを有し、前記撮像素子と共に移動する１）〜７）のいずれかのカメラ、とすることが好ましい。
【００２６】
９）  前記シャッタユニットは、少なくとも前記反射部材を前記第２の位置へ退避させた時は、開いた状態とする１）〜８）のいずれかのカメラ、とすることが好ましい。
【００２７】
１０）  前記ファインダ部は、少なくとも焦点板と複数回の反射をおこなう反射面群と接眼レンズ群で構成され、前記反射部材を前記第２の位置へ退避させた時、前記焦点板を前記反射面群の方向へ移動させる１）〜９）のいずれかのカメラ、とすることが好ましい。
【００２８】
【発明の実施の形態】
以下、実施の形態により本発明を詳しく説明するが、本発明はこれに限定されるものではない。
【００２９】
図１は、本発明のデジタル一眼レフカメラの概略の基本構成を示す断面図である。同図は、本発明のカメラ本体に専用レンズを装着した状態を示すもので、カメラ全体の光学系を断面的に示しており、実装基板、モータ等の構成配置は省略してある。
【００３０】
同図において、Ｂはカメラ本体、１１はカメラ側のマウント、ＬＳはカメラ本体Ｂのマウント１１に装着され、撮影光学系２を有する専用の交換レンズである。可動ミラーであるメインミラー１２は、その背後に設けられたサブミラー１４に光束を通過させるために、パターンミラーもしくは半透鏡部１２ａを有している。
【００３１】
サブミラー１４で反射された光束は、ミラーボックスの底面に配置された焦点検出器１５へ導かれ、この焦点検出器１５によりデフォーカス量が求められ、交換レンズＬＳ内の撮影レンズ系を図示しない駆動系により移動させ、焦点調節がおこなわれる。この焦点検出器１５は、コンデンサレンズ、再結像レンズ、撮像素子アレイ、赤外カットフィルタ等で構成された公知のものである。
【００３２】
一方、１６は焦点板、１７ｄはダハミラー、１７ｆは平面ミラー、１８は接眼レンズである。ダハミラー１７ｄと平面ミラー１７ｆでペンタダハミラーが構成され、これらはメインミラー１２と共に公知の一眼レフファインダー光学系を形成している。なお、ミラー系で説明したが公知のペンタダハプリズムを使用しても良い。
【００３３】
サブミラー１４は不図示のミラー保持枠にメインミラー１２と共に保持されており、メインミラー１２が図示のファインダ部へ光束を導く位置から、撮影光束外へ退避した位置へ回動上昇したときは、サブミラー１４がメインミラー１２のパターンミラーもしくは半透鏡部１２ａに重なりファインダ逆入光を遮蔽するようになっている。
【００３４】
１９は測光素子であり、２０は測光素子１９に測光光束を集光するコンデンサレンズを有するプリズムである。
【００３５】
２１は撮影レンズ判別用の接点であり、マウントに装着されたレンズが専用レンズか、アダプタを介して装着された他の一眼レフ用のレンズか、アダプタを介して装着された距離計連動カメラ用レンズ（以下、ＲＦ用レンズと称す）か、のいずれであるかを判別するものである。
【００３６】
この撮影レンズ判別用の接点２１は、例えばＡ、Ｂ、Ｇの３つの接点で構成されグランド用の接点Ｇと他の２つの接点Ａ、Ｂとの導通を確認することで判別をおこなうものである。即ち、専用レンズ側、他の一眼レフ用レンズのレンズアダプタ側、ＲＦ用レンズアダプタ側には、異なるパターンの基板を設け、例えば、ＡとＧのみが導通していれば専用レンズ、ＡとＧ、ＢとＧ共に導通すれば一眼レフ用のレンズアダプタ、ＢとＧのみ導通していればＲＦ用レンズアダプタというように、いずれが装着されたかをカメラ本体側で認識することができるようになっている。なお、この撮影レンズ判別手段はこれに限るものでなく、公知のその他の方法、例えば専用レンズ、他の一眼レフ用レンズのレンズアダプタ、ＲＦ用レンズアダプタにＲＯＭを内蔵し、このＲＯＭから情報を受け取るようなものであっても良い。
【００３７】
２２はフォーカルプレンシャッタユニット（以下、ＦＰシャッタユニットと称す）であり、２３は撮像素子であり、この撮像素子２３は、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。
【００３８】
２４は本発明に係る、撮像素子移動機構であり、ＦＰシャッタユニット２２と撮像素子２３は、一体的に、撮像素子移動機構２４により光軸方向に移動可能となっている。なお、撮像素子２３が全画素読み出し方式（プログレッシブスキャン方式）の場合は、ＦＰシャッタユニット２２を省略しても良い。
【００３９】
２５は撮影した画像を表示したり、後述のＲＦ用レンズを装着した場合には、撮影前の被写体画像を表示するファインダとして機能する画像表示装置である。この画像表示装置２５は、ＬＣＤや有機ＥＬ等で構成されている。
【００４０】
以上が本発明のデジタル一眼レフのカメラ本体の概略の基本構成である。
図２は、本発明のデジタル一眼レフカメラの構成を示すブロック図である。
【００４１】
同図において、１はカメラ本体Ｂに内蔵された制御手段であるマイクロコンピュータの中央処理装置（以下、ＭＰＵと称す）である。ＭＰＵ１には、ＡＦ（オートフォーカス）駆動回路３１、絞り駆動回路３２、ミラー駆動回路３３、焦点検出回路３４、シャッタ駆動回路３５、本発明に係る撮像素子移動機構駆動回路３６、撮像信号処理回路３７、外部入力手段である各種スイッチ群３８、測光回路４８、絞り値やシャッター速度等の撮影情報を表示する外部表示３９とファインダ内表示４０が接続されている。
【００４２】
２は撮影レンズ内の撮影光学系であり、ＡＦ駆動回路３１は、例えばＤＣモータとギアトレインにより構成され、ＭＰＵ１の制御により、撮影光学系２内の少なくとも１枚のレンズを移動させ撮像素子２３に焦点を合わせる。絞り駆動回路３２は、ＭＰＵ１の制御により絞り４１の絞り値を変化させる。
【００４３】
ミラー駆動回路３３は、例えばＤＣモータとギアトレイン等で構成され、ＭＰＵ１の制御により、メインミラー１２、サブミラー１４を図示ファインダ観察位置と撮影光束外へ退避した位置とに駆動する。
【００４４】
焦点検出回路３４は、ＭＰＵ１の命令に従い焦点検出器１５内の撮像素子アレイの蓄積及び読み出し制御をおこない、ＭＰＵ１は得られた被写体のイメージ信号を用い、デフォーカス量及びデフォーカス方向を求める。ＭＰＵ１はこの得られたデフォーカス量及びデフォーカス方向に基づき、ＡＦ駆動回路３１を介し、撮影光学系２内の少なくとも１枚のレンズを移動させ撮像素子２３に焦点を合わせる。
【００４５】
ＦＰシャッタユニット２２は、機械的に光路を遮蔽するシャッタで、公知の複数枚の先幕と複数枚の後幕で構成され、ＭＰＵ１の命令によりシャッタ駆動回路３５を介し、開閉動作をおこなうものである。
【００４６】
撮像素子２３は、撮影光学系２により結像された被写体像を電気信号に変換する固体撮像素子である。この撮像素子２３は、２次元のＣＣＤ型イメージセンサ、Ｃ−ＭＯＳ型イメージセンサ、ＣＩＤ型イメージセンサ等のいずれのデバイスでも良いが、以下の本実施の形態ではインターライン型のＣＣＤ型イメージセンサを例にとって説明する。
【００４７】
４２は撮像信号前段処理回路であり、ＣＣＤ駆動回路、ＣＣＤ２３で得られたアナログ画像データに基本的なアナログ処理をおこなうクランプ／ＣＤＳ（相関２重サンプリング）回路、ＡＧＣ（オートゲインコントロール）回路、アナログ画像データをデジタル画像データに変換するＡ／Ｄ変換回路を含むものである。
【００４８】
３７は撮像信号処理回路であり、デジタル化された画像データに、ガンマ／ニー処理、フィルタ処理、モニタ表示用の情報合成処理等の画像処理全般をおこなうものである。この撮像信号処理回路３７からのモニタ表示用の画像データは表示装置駆動回路４３を介し、画像表示装置２５に表示されるようになっている。
【００４９】
メモリコントローラ４４は、撮像信号処理回路３７から入力された未処理のデジタル画像データをバッファメモリ４５に格納する。また、処理済みのデジタル画像データをメモリ４６に格納したり、逆にバッファメモリ４５やメモリ４６から撮像信号処理回路３７に出力したりする機能を有している。更に、外部インターフェイス４７から送られてくる画像データをメモリ４６に格納したり、メモリ４６内の画像データを外部インターフェイス４７から出力したりすることも可能である。なお、メモリ４６はカメラ本体Ｂから取り外しが可能である。
【００５０】
外部入力手段である各種スイッチ群３８は、図示しないレリーズスイッチの半押しでＯＮするスイッチ３８ａ、レリーズスイッチの全押しでＯＮするスイッチ３８ｂ、及び撮影モードを切り替える撮影モード選択スイッチ３８ｃ、測光モードを切り替える測光モード選択スイッチ３８ｄ等で構成されており、これらの入力に従い、ＭＰＵ１は、カメラ各部を制御するようになっている。
【００５１】
４８は測光回路であり、測光素子１９からの出力をＭＰＵ１へ出力し、ＭＰＵ１はこの信号により撮影時の露光条件を決定する。４９は電源部であり、カメラ各部へ必要な電源を供給する。
【００５２】
撮影レンズ判別用の接点２１は上述のように、例えばＡ、Ｂ、Ｃ３つの接点で構成されグランド用の接点Ｇと他の２つの接点Ａ、Ｂとの導通をＭＰＵ１が確認することにより、ＭＰＵ１はマウントに装着された撮影レンズが、このカメラ本体の専用レンズか、アダプターを介して取り付けられた他の一眼レフ用レンズか、アダプターを介して取り付けられたＲＦ用レンズかを判別する。判別結果がアダプターを介して取り付けられたＲＦ用レンズである場合には、ＭＰＵ１はミラー駆動回路３３を介し、撮影光束外へメインミラー１２及びサブミラー１４を駆動退避させる。
【００５３】
撮像素子移動機構駆動回路３６は、ＭＰＵ１の命令によりＦＰシャッタユニット２２とＣＣＤ２３を一体的に光軸方向に移動させる撮像素子移動機構２４の駆動制御をおこなうものである。
【００５４】
以上が本発明のデジタル一眼レフカメラの概略のブロック構成である。
図３は、本発明のデジタル一眼レフカメラの撮像素子移動機構２４の例を示す図である。
【００５５】
同図において、２は撮影光学系、２２はＦＰシャッタユニット、２３はＣＣＤであり、５１はＦＰシャッタユニット２２、撮像素子２３を同架した地板である。地板５１には一体的に３箇所のガイド部５１ａ、５１ｂ、５１ｃが形成され、このガイド部にはそれぞれガイド軸５２ａ、５２ｂ、５２ｃが貫通している。ガイド軸５２ａ〜ｃは撮影光学系２の光軸Ｏに平行に設けられ、地板はこのガイド軸５２ａ〜ｃに沿って移動可能に構成されている。さらに、地板５１には、リードスクリュー５４に螺合する螺合部５３が形成され、リードスクリュー５４の回転量に応じて、地板５１は光軸Ｏ方向に移動することが可能である。
【００５６】
リードスクリュー５４は、歯車５４ｇと一体的に形成されており、この歯車５４ｇは、減速歯車ユニット５５を介しステッピングモータ５６により駆動される。
【００５７】
この撮像素子移動機構２４の移動範囲は、少なくとも専用レンズの無限ピント位置と、アダプタを介して装着されたＲＦ用レンズの無限ピント位置の間を移動可能となされていれば良いが、余裕を持って、これ以上に設定されていることが望ましい。
【００５８】
更に、地板５１には接片５８が固着され、この接片５８はプリント基板５９に当接している。プリント基板５９には接片５８と常時接触するパターン５９ｂと、接片５８の移動中に接触するパターン５９ａが設けられている。
【００５９】
地板５１を、図１に示す一眼レフ用レンズ装着の場合の位置からＲＦ用レンズ装着の場合の無限ピント位置へ移動させる場合には以下のようにする。ステッピングモータ５６を回転駆動し、減速歯車ユニット５５を介して歯車５４ｇ及びリードスクリュー５４を回転させることで撮影光学系２方向へ移動させ、接片５８がパターン５９ａと５９ｂの位置に来たとき短絡し、更に移動を続けると接片５８はパターン５９ａを通り過ぎることになる。このパターン５９ａとパターン５９ｂが接片５８により短絡しなくなった位置を起点として、ステッピングモータ５６を予め決められたステップ数だけ回転させることで、所定のＲＦ用レンズの無限ピント位置（後述の図４に示す状態）に停止させることができる。なおこのステップ数は、予め、製造工程内で設定されるものである。
【００６０】
一方、ＲＦ用レンズ装着の場合の無限ピント位置から一眼レフ用レンズ装着の場合の位置への移動は、ステッピングモータ５６を逆回転させ、同様に、パターン５９ａとパターン５９ｂが短絡しなくなった位置を起点として、予め決められたステップ数となったときに停止させれば、一眼レフ用レンズの場合の停止位置（図１に示す状態）に地板５１を停止させることができる。
【００６１】
また、上記の２箇所の停止位置より小刻みに地板５１を移動させる場合は、上記の停止位置を初期位置として、小刻みにステッピングモータ５６を回転することで一眼レフ用レンズ装着の場合の位置からＲＦ用レンズ装着の場合の無限ピント位置までの任意の位置に地板５１を移動且つ停止させることができる。
【００６２】
なお上記の２種のステップ数は個体差を有するため、予め製造工程内で測定された後、設定されるものである。また、ＤＣモータと減速歯車列にフォトインタラプタを配置し、これによる回転角検知を利用して停止位置を制御する方法等でもよい。
【００６３】
図４は、本発明のデジタル一眼レフカメラにＲＦ用レンズをレンズアダプターを介して装着し、メインミラーとサブミラーを退避させ、撮像素子をＲＦ用レンズの無限ピント位置に移動した時の各部の位置関係を示す断面図である。同図は、カメラ本体Ｂのマウント１１にレンズアダプタＬＡを介しＲＦ用レンズＬＭを装着した状態を示したものである。
【００６４】
カメラ本体ＢにレンズアダプタＬＡの装着がなされると、撮影レンズ判別用接点２１により装着レンズがＲＦ用レンズであることをＭＰＵ１（図２参照）は判別し、これに呼応して、ＭＰＵ１はミラー駆動回路３３（図２参照）を介し、メインミラー１２とサブミラー１４を、図示のように撮影光束外へ退避した位置に回動移動させる。このためファインダ光路及び焦点検出器は使用不能となる。
【００６５】
更に、この後、撮像素子移動機構２４をＲＦ用レンズＬＭ側に移動させ撮像素子をＲＦ用レンズの無限ピント位置に移動させた状態を示している。
【００６６】
なお、退避したメインミラー１２及びサブミラー１４が干渉する程度にＦＰシャッタユニット２２が大きい場合は、メインミラー１２及びサブミラー１４と共に焦点板１６をダハミラー１７ｄ方向へ移動させるよう構成すればよい。この場合には、ペンタダハプリズムよりもペンタダハミラーを使用した方がペンタダハミラー内の空間を利用することができて望ましい。
【００６７】
以上のように構成されたカメラ本体に、専用レンズ、他の一眼レフ用のレンズ、ＲＦ用レンズの３種が装着された場合の、それぞれの概略撮影シーケンスについて以下に説明する。
【００６８】
図５は、本発明のデジタル一眼レフカメラの撮影動作概略のフローチャートである。なお、以下のフローチャートは、レリーズスイッチの半押しでＯＮするスイッチ３８ａをＳ１と称し、レリーズスイッチの全押しでＯＮするスイッチ３８ｂをＳ２と称しており、同図のフロー及び図２を使用して以下に説明する。
【００６９】
同図のＳ１０１において、装着されているレンズが専用レンズか否かを判別する。これは前述の撮影レンズ判別用接点２１により判別される。
【００７０】
この判別結果が専用レンズの場合は、Ｓ１０２へ移行しＳ１がＯＮされるのを待機する。Ｓ１がＯＮされると、Ｓ１０３へ移行し測光素子１９と焦点検出器１５からの出力により、測光（露光条件の決定）と焦点検出回路３４から得られるデフォーカス量に応じ、ＡＦ駆動回路３１を介してレンズ２を駆動し焦点調節をおこなう。この後、Ｓ１０４に移行し、Ｓ２がＯＮされているか確認する。Ｓ２がＯＮされていなければ、Ｓ１０２へ戻りＳ１０４までのループを繰り返す。
【００７１】
Ｓ２がＯＮされると実露光動作のシーケンスへ移り、ミラー駆動回路３３を介してミラーアップし、メインミラー１２とサブミラー１４を撮影光束外へ退避させる（Ｓ１０５）。この後、Ｓ１０３で決定した露光条件となるよう、絞り駆動回路３２を介して絞り４１を駆動する（Ｓ１０６）。更に、ＣＣＤ２３内の電荷をクリア（Ｓ１０７）した後、ＣＣＤ２３の電荷蓄積を開始する（Ｓ１０８）。
【００７２】
次いで、シャッタ駆動回路３５を介しシャッタ２２を開く（Ｓ１０９）。これはＦＰシャッタユニットの先幕を走行させることでおこなわれる。これで実際にＣＣＤ２３に被写体光束が到達し実際の電荷蓄積が始まる。この後、Ｓ１０３で決定した露光条件のシャッター秒時となるまで待機し（Ｓ１１０）、時間となるとＳ１１１へ移行し、後幕を走行させてシャッタ２２を閉じる。これでＣＣＤ２３への被写体光束は遮断されることになる。
【００７３】
この後、絞り４１を開放に戻し（Ｓ１１２）、メインミラー１２とサブミラー１４を復帰させ（Ｓ１１３）、ファインダ部と焦点検出器１５へ被写体光束を導く位置に戻される。
【００７４】
この後、ＣＣＤ２３に電荷蓄積された撮像信号の読み出しをおこない（Ｓ１１４）、撮像信号前段処理回路４２と撮像信号処理回路３７により画像処理がおこなわれる（Ｓ１１５）。次いで、得られた画像データをメモリ４６に記録し（Ｓ１１６）、次の撮影のためにシャッタチャージをおこなう（Ｓ１１７）。以上が専用レンズを装着した場合の、１画像の撮影シーケンスである。
【００７５】
一方、Ｓ１０１で専用レンズでないと判別された場合は、Ｓ１２０へ移行し、距離計連動カメラ用レンズか否かを判別する。距離計連動カメラ用レンズであると判別されると、以下の動作となる。
【００７６】
図６は、本発明に係る、距離計連動カメラ用レンズがレンズアダプタにより装着されている場合の撮影動作概略のフローチャートである。
【００７７】
Ｓ１２０（図５参照）で距離計連動カメラ用レンズと判別されると、Ｓ１２１へ移行し、まずミラーアップする（Ｓ１２１）。更に、シャッタ先幕を走行させて、シャッタを開き（Ｓ１２２）、これによりＣＣＤ２３へ被写体光束が到達できるようになる。
【００７８】
即ち、これによりミラーアップにより使用不可となった光学ファインダに変えて、ＣＣＤ２３で得られる画像を、カメラ背面に配置された画像表示装置２５に表示することができるようになり、距離計連動カメラ用レンズ装着時のファインダー機能は、画像表示装置２５が受け持つことになる。
【００７９】
この後、画像表示装置駆動回路４３を介し画像表示装置２５をＯＮし、ＣＣＤ２３で得られる被写体画像を表示する（Ｓ１２３）。
【００８０】
次いで、ＦＰシャッタユニット２２とＣＣＤ２３を前述の撮像素子移動機構により、予め決められた所定の位置、例えばＲＦ用レンズ無限ピント位置へ移動させる（Ｓ１２４）。なお、この位置は、ＲＦ用レンズのフォーカスリングが無限位置の時のレンズアダプタを介し装着された状態での無限ピント位置である。
【００８１】
次いで、Ｓ１がＯＮされるのを待機し（Ｓ１２５）、Ｓ１がＯＮされると、Ｓ１２６へ移行し、撮像素子出力による測光（シャッタ秒時の決定）と、撮像素子移動機構を用いてＣＣＤ２３を小刻みに移動させ順次ＣＣＤより画像データを取り込み、得られた画像データを評価し、最も解像度の高いと評価された位置にＣＣＤ２３を停止させることで、焦点調節をおこなう。これは所謂、撮像面ＡＦ或いは山登り法と呼ばれる公知の方法が用いられる。
【００８２】
次いで、Ｓ１２７へ移行し、Ｓ２がＯＮされているか確認する。Ｓ２がＯＮされていなければ、Ｓ１２５へ戻りＳ１２７までのループを繰り返す。
【００８３】
Ｓ２がＯＮされると実露光動作のシーケンスへ移り、まずシャッタを閉じる（Ｓ１２８）。これは、既に走行している先幕のみをチャージしても良いし、後幕を走行させた後チャージしてこの状態を作り出してもよい。
【００８４】
更に、ＣＣＤ２３内の電荷をクリア（Ｓ１２９）した後、ＣＣＤ２３の電荷蓄積を開始する（Ｓ１３０）。次いで、シャッタを開く（Ｓ１３１）。これはＦＰシャッタユニット２２の先幕を走行させることでおこなわれる。これで実露光のためにＣＣＤ２３に被写体光束が到達し実際の電荷蓄積が始まる。この後、Ｓ１２６で決定したシャッター秒時となるまで待機し（Ｓ１３２）、時間となるとＳ１３３へ移行し、後幕を走行させてシャッタを閉じる。これでＣＣＤ２３への撮影用の被写体光束は遮断されることになる。
【００８５】
以降は、図５のＳ１１４へジャンプし、Ｓ１１４〜Ｓ１１７の処理をおこなうことで、距離計連動カメラ用レンズがレンズアダプタにより装着されている場合の１画像の撮影シーケンスが終了する。
【００８６】
即ち、距離計連動カメラ用レンズ装着の場合は、メインミラー、サブミラーを退避させ、撮像素子移動機構を使用しての撮像素子出力による焦点調節、撮像素子出力による測光、ファインダとして画像表示装置を用いたカメラとなる。
【００８７】
これにより、フランジバック寸法の短かい距離計連動カメラ用の交換レンズを装着した際に、リアコンバージョンレンズを使用せずに無限遠からの撮影を可能とし、更にはＡＦ撮影をも可能とするカメラを得ることが可能となる。
【００８８】
また、図５のＳ１２０で、距離計連動カメラ用レンズでないと判別されると、アダプタを介して装着された他の一眼レフ用のレンズであると判断し、以下の動作となる。
【００８９】
図７は、他の一眼レフカメラ用交換レンズがレンズアダプタにより装着されている場合の撮影動作概略のフローチャートである。
【００９０】
Ｓ１２０（図５参照）で他の一眼レフカメラ用レンズと判別されると、Ｓ１４１へ移行し、Ｓ１がＯＮされるのを待機する。Ｓ１がＯＮされると、Ｓ１４２へ移行し測光素子１９からの出力により測光（シャッタ秒時の決定）と、焦点検出回路３４から得られるデフォーカス量に応じ、ファインダー内表示４０に焦点状態を表示する。即ち、他の一眼レフカメラ用レンズ装着の場合は、所謂フォーカスエイドとなり、また絞りの連動機構もないため、実絞りの絞り込み測光による絞り優先ＡＥとなる。
この後、Ｓ１４３に移行し、Ｓ２がＯＮされているか確認する。Ｓ２がＯＮされていなければ、Ｓ１４１へ戻りＳ１４３までのループを繰り返す。
【００９１】
Ｓ２がＯＮされると実露光動作のシーケンスへ移り、ミラーアップし（Ｓ１４４）、メインミラー１２とサブミラー１４を撮影光束外へ退避させる。更に、ＣＣＤ２３内の電荷をクリア（Ｓ１４５）した後、ＣＣＤ２３の電荷蓄積を開始する（Ｓ１４６）。
【００９２】
次いで、シャッタを開く（Ｓ１４７）。これはＦＰシャッタユニット２２の先幕を走行させることでおこなわれる。これで実際にＣＣＤ２３に被写体光束が到達し実際の電荷蓄積が始まる。この後、Ｓ１４２で決定した露光条件のシャッター秒時となるまで待機し（Ｓ１４８）、時間となるとＳ１４９へ移行し、後幕を走行させてシャッタを閉じる。これでＣＣＤ２３への被写体光束は遮断されることになる。
【００９３】
以降は、図５のＳ１１３へジャンプし、Ｓ１１３〜Ｓ１１７の処理をおこなうことで、他の一眼レフカメラ用レンズがレンズアダプタにより装着されている場合の１画像の撮影シーケンスが終了する。
【００９４】
以上が本発明のデジタル一眼レフカメラ本体の、各種レンズが装着された場合のそれぞれの動作概略シーケンスである。
【００９５】
なお、本実施の形態においては、距離計連動カメラ用レンズが装着された場合、撮像素子移動機構により撮像素子を所定の位置（ＲＦ用レンズ無限ピント位置）へ移動させるようにしたが、この動作を省略し、専用レンズでの撮像素子位置から撮影レンズ側へ移動しつつ、撮像素子出力による焦点調節をおこなうようにしてもよい。また、この２種の方法のどちらかを外部スイッチ群のいずれかで選択するよう構成してもよい。また、撮影レンズ判別用接点により距離計連動カメラ用レンズ装着が判別された場合、自動的に反射部材を退避させるよう構成したが外部表示器やファインダ内表示により警告表示をおこない、外部入力手段である外部スイッチ群のいずれかで退避を指示するよう構成してもよい。
【００９６】
また、他の一眼レフ用レンズアダプターが、レンズ駆動及び絞りの駆動が可能なアダプターである場合は、図５に示す専用レンズ装着の場合のシーケンスを用いてもよいのは勿論である。
【００９７】
また、撮像素子移動機構による撮像素子の移動範囲を、一眼レフ用レンズの設定位置の後方にも移動可能に構成し、専用レンズ及び他の一眼レフ用レンズの装着時の近接撮影時に、ミラーアップして撮像面ＡＦによる近接撮影をおこなうよう構成しても良い。
【００９８】
【発明の効果】
以上説明したように、フランジバック寸法の短かい距離計連動カメラ用の交換レンズを装着した際に、リアコンバージョンレンズを使用せずに無限遠からの撮影を可能とし、更にはＡＦ撮影をも可能とするレンズ交換可能なデジタル一眼レフカメラを得ることが可能となった。
【図面の簡単な説明】
【図１】本発明のデジタル一眼レフカメラの概略の基本構成を示す断面図である。
【図２】本発明のデジタル一眼レフカメラの構成を示すブロック図である。
【図３】本発明のデジタル一眼レフカメラの撮像素子移動機構の例を示す図である。
【図４】本発明のデジタル一眼レフカメラにＲＦ用レンズをレンズアダプターを介して装着し、メインミラーとサブミラーを退避させ、撮像素子をＲＦ用レンズの無限ピント位置に移動した時の各部の位置関係を示す断面図である。
【図５】本発明のデジタル一眼レフカメラの撮影動作概略のフローチャートである。
【図６】本発明に係る、距離計連動カメラ用レンズがレンズアダプタにより装着されている場合の撮影動作概略のフローチャートである。
【図７】他の一眼レフカメラ用交換レンズがレンズアダプタにより装着されている場合の撮影動作概略のフローチャートである。
【符号の説明】
１  マイクロコンピュータ（ＭＰＵ）
２  撮影光学系
１１  マウント部
１２  メインミラー
１４  サブミラー
１５  焦点検出器
１６  焦点板
１７ｄ  ダハミラー
１８  接眼レンズ
１９  測光素子
２１  撮影レンズ判別用接点
２２  フォーカルプレンシャッタ（ＦＰシャッタ）
２３  撮像素子
２４  撮像素子移動機構
２５  画像表示装置
Ｂ  カメラ本体
【図１】
2005017699.tif 000003
【図２】
2005017699.tif 000004
【図３】
2005017699.tif 000005
【図４】
2005017699.tif 000006
【図５】
2005017699.tif 000007
【図６】
2005017699.tif 000008
【図７】
2005017699.tif 000009